(57)【特許請求の範囲】
【請求項１】
少なくとも、カメラ付きドアホン子器、テレビインターホン親機、テレビインターホン副親機を組み合わせて構成したテレビインターホンシステムにおいて、
上記テレビインターホン親機は、所定画像の作成および上記カメラ付きドアホン子器によって撮影される映像の静止画として記録をする画像作成および録画手段を備えており、この画像作成および録画手段による上記所定画像および上記静止画を、１系統の伝送路を通じて、上記テレビインターホン副親機に伝送して表示させる構成とし、この伝送路を、上記カメラ付きドアホン子器のカメラからの映像の伝送手段と、上記画像作成および録画手段とに対して、相互に切り替えて接続するスイッチ手段を備える構成としたテレビインターホンシステム。
【請求項２】
少なくとも、カメラ付きドアホン子器、テレビインターホン親機、テレビインターホン副親機を組み合わせて構成したテレビインターホンシステムにおいて、
上記テレビインターホン親機は、所定画像の作成および上記カメラ付きドアホン子器によって撮影される映像の静止画として記録をする画像作成および録画手段を備えており、この画像作成および録画手段による上記所定画像および上記静止画を、２系統の伝送路を通じて、上記テレビインターホン副親機に伝送して表示させる構成とし、一方の伝送路が上記カメラ付きドアホン子器のカメラからの映像の伝送手段に接続される一方、他方の伝送路が上記画像作成および録画手段に接続されており、自身に内蔵された画像表示手段を、上記伝送手段と上記画像作成および録画手段とに対して、相互に切り替えて接続するスイッチ手段を備える構成としたテレビインターホンシステム。
【請求項３】
請求項１、２のいずれかにおいて、
上記テレビインターホン親機は、留守録設定時には、上記カメラ付きドアホン子器からの呼出に対して、上記カメラ付きドアホン子器による来客の撮影を開始するとともに、用件入力を促す所定の音声メッセージを上記カメラ付きドアホン子器から出力し、上記音声メッセージを上記カメラ付きドアホン子器から出力するタイミングで、上記カメラ付きドアホン子器によって撮影される映像を静止画として、上記画像作成および録画手段に記録する構成としたテレビインターホンシステム。
【請求項４】
請求項１、２のいずれかにおいて、
上記テレビインターホン親機は、留守録設定時には、上記カメラ付きドアホン子器からの呼出に対して、上記カメラ付きドアホン子器による来客の撮影を開始するとともに、用件入力を促す所定の音声メッセージを上記カメラ付きドアホン子器から出力し、これを受けた来客が上記カメラ付きドアホンに対する用件入力を開始するタイミングで、上記カメラ付きドアホン子器によって撮影される映像を静止画として、上記画像作成および録画手段に記録する構成としたテレビインターホンシステム。
【発明の詳細な説明】
【０００１】
【発明の属する技術分野】
本発明は、少なくとも、カメラ付きドアホン子器、テレビインターホン親機、テレビインターホン副親機を組み合わせて構成されるテレビインターホンシステムに関する。
【０００２】
【従来の技術】
近時、２世帯住宅などにおいて広く使用されているテレビインターホンシステムにおいては、テレビインターホン親機に接続した呼出釦が操作されたり、テレビインターホン親機に接続したセンサが人を検知したときなどには、テレビインターホン親機、テレビインターホン副親機は、所定の制御信号の入力を受けて、所定画像、例えばピクト画像を作成して表示している。
【０００３】
また、テレビインターホン親機に、録画録音機能を持たせたものがあり、このものでは、在宅あるいは不在時に、カメラ付きドアホン子器を通じて入力された来客の音声とともに、カメラ付きドアホン子器による映像を静止画として記録しておき、所定操作によって、記録された静止画、音声を再生して確認できるようにしている。
【０００４】
【発明が解決しようとする課題】
ところが、上記した従来のテレビインターホンシステムでは、親機、副親機双方にピクト画像を作成するための専用の回路を内蔵する必要があり、部品点数、製造コストなどの面で問題があった。また、親機で記録した静止画、音声は親機側でのみ再生可能となっており、副親機側で再生することはできなかった。
【０００５】
本発明は、上記事情を考慮してなされたものであり、ピクト画像作成機能や録画画像再生機能のない副親機でも、親機から伝送される画像を表示することによって、ピクト画像や録画画像の再生ができるテレビインターホンシステムを提供することを目的としている。
【０００６】
【課題を解決するための手段】
上記目的を達成するために、本発明の請求項１に記載のテレビインターホンシステムでは、テレビインターホン親機は、所定画像の作成および上記カメラ付きドアホン子器によって撮影される映像の静止画として記録をする画像作成および録画手段を備えており、この画像作成および録画手段による所定画像および上記静止画を、１系統の伝送路を通じて、テレビインターホン副親機に伝送して表示させる構成とし、この伝送路を、カメラ付きドアホン子器のカメラからの映像の伝送手段と、画像作成および録画手段とに対して、相互に切り替えて接続するスイッチ手段を備える構成とした。
【０００８】
請求項２に記載のテレビインターホンシステムでは、テレビインターホン親機は、所定画像の作成およびカメラ付きドアホン子器によって撮影される映像の静止画として記録をする画像作成および録画手段を備えており、この画像作成および録画手段による所定画像および上記静止画を、２系統の伝送路を通じて、テレビインターホン副親機に伝送して表示させる構成とし、一方の伝送路が上記カメラ付きドアホン子器のカメラからの映像の伝送手段に接続される一方、他方の伝送路が上記画像作成および録画手段に接続されており、自身に内蔵された画像表示手段を、伝送手段と上記画像作成および録画手段とに対して、相互に切り替えて接続するスイッチ手段を備える構成とした。
【００１１】
ここに、再呼出とは、１回目のカメラ付きドアホン子器からの呼出に対して、テレビインターホン親機が応答せず、再度、来客がカメラ付きドアホン子器を呼出操作することをいう。
【００１２】
請求項３に記載のテレビインターホンシステムでは、テレビインターホン親機は、留守録設定時には、カメラ付きドアホン子器からの呼出に対して、カメラ付きドアホン子器による来客の撮影を開始するとともに、用件入力を促す所定の音声メッセージをカメラ付きドアホン子器から出力し、音声メッセージをカメラ付きドアホン子器から出力するタイミングで、カメラ付きドアホン子器によって撮影される映像を静止画として、画像作成および録画手段に記録する構成とした。
【００１３】
請求項４に記載のテレビインターホンシステムでは、テレビインターホン親機は、留守録設定時には、カメラ付きドアホン子器からの呼出に対して、カメラ付きドアホン子器による来客の撮影を開始するとともに、用件入力を促す所定の音声メッセージをカメラ付きドアホン子器から出力し、これを受けた来客がカメラ付きドアホンに対する用件入力を開始するタイミングで、カメラ付きドアホン子器によって撮影される映像を静止画として、画像作成および録画手段に記録する構成とした。
【００１４】
【発明の実施の形態】
以下に、本発明の実施の形態について、図面とともに説明する。図１は本発明システムの構成の一例を模式的に示す図である。
【００１５】
このシステムでは、カメラ付きドアホン子器Ｄ・・・を接続したテレビインターホン親機１に、伝送線Ｌを通じて、テレビインターホン副親機２を順次接続している。また、テレビインターホン親機１には、増設スピーカＳ、電気錠制御装置３、コール釦４，４を接続しており、テレビインターホン副親機２のそれぞれには、増設スピーカＳを接続している。なお、Ｂ１〜Ｂ１０は各種釦を示しており、それぞれの名称や機能については後述することにする。
【００１６】
テレビインターホン親機１は、図２に示すように、１系統の伝送路Ｌを介してテレビインターホン副親機２と接続されており、以下の各部を制御するＣＰＵ１０と、画像作成／録画手段を構成し、所定画像、例えばピクト画像の作成や、カメラ付きドアホン子器Ｄによって撮影される映像を静止画として記録する画像作成／録画回路１１と、ドアホン子器Ｄや他のインターホンとの通話を制御したり、ドアホン子器Ｄに入力された来客の音声を記録する音声回路１２と、画像表示手段を構成するモニター画面Ｍと、ドアホン子器Ｄや他のインターホンとの間で通話するためのスピーカ１３，マイク１４と、いずれかのドアホン子器Ｄとの間の電気的接続を切り換えるリレー回路１５と、スイッチ手段を構成する映像切替スイッチ１６と、伝送手段を構成し、カメラ付きドアホン子器Ｄによって撮影される映像を伝送する伝送回路１７とを備える。
【００１７】
映像切替スイッチ１６はＣＰＵ１０によって制御され、接点をａ側あるいはｂ側に切り替えることによって、伝送路Ｌを、伝送手段１７と、画像作成／録画回路１１とに対して、相互に切り替えて接続する。
【００１８】
一方のテレビインターホン副親機２は、図２に示すように、１系統の伝送路Ｌを介して、テレビインターホン親機１や他のテレビインターホン副親機２と接続されており、以下の各部を制御するＣＰＵ２０と、ドアホン子器Ｄや他のインターホンとの通話を制御する音声回路２１と、モニター画面Ｍと、ドアホン子器Ｄや他のインターホンとの間で通話するためのスピーカ２２，マイク２３とを備える。
【００１９】
このような構成の基本動作について以下に説明する。すなわち、在宅設定時には、いずれかのドアホン子器Ｄが呼出操作されると、テレビインターホン親機１、テレビインターホン副親機２から呼出音が出力される。これとともに、ドアホン子器Ｄによる来客の撮影が開始されて、来客の映像が、テレビインターホン親機１、テレビインターホン副親機２のそれぞれのモニター画面Ｍに表示される。なお、呼出音は、テレビインターホン親機１、テレビインターホン副親機２のそれぞれに接続されている増設スピーカＳからも出力される。そして、テレビインターホン親機１あるいはテレビインターホン副親機２で、通話釦Ｂ１０を操作すれば、ドアホン子器Ｄとの間での通話が可能となる。
【００２０】
また、テレビインターホン親機１、テレビインターホン副親機２のそれぞれの内線釦Ｂ６を操作すれば、他のテレビインターホン親機１やテレビインターホン副親機２を呼び出す。このとき、呼び出された側では、所定のピクト画像が表示され、呼出音が出力される。なお、この呼出音は、呼び出された側の増設スピーカＳからも出力される。そして、呼び出された側で通話釦１０が操作されると、呼び出した側の、テレビインターホン親機１やテレビインターホン副親機２との間での内線通話が可能となる。
【００２１】
また、テレビインターホン親機１、テレビインターホン副親機２のそれぞれのモニター釦Ｂ５を操作すれば、ドアホン子器Ｄによる撮影が開始され、その映像が、操作したテレビインターホン親機１、テレビインターホン副親機２のモニター画面Ｍに表示され、ドアホン子器Ｄによる映像を監視（モニター）することが可能となる。
【００２２】
また、テレビインターホン親機１には、電気錠制御装置３が接続されており、親機１の電気錠解錠ボタンＢ７を操作すれば、電気錠制御装置３に解錠信号が出力され、これを受けた電気錠解錠装置３が玄関の電気錠を解錠する。このとき、親機１の電気錠解錠表示灯Ｒが点灯する。
【００２３】
また、テレビインターホン親機１に接続された呼出釦４，４を操作すれば、親機１や副親機２は所定のコール呼出をする。すなわち、呼出釦４，４が操作されたときには、親機１や副親機２は、所定のピクト画像を表示するとともに、コール呼出音を出力する。なお、コール呼出音は、親機１や副親機２に接続された増設スピーカＳからも出力される。
【００２４】
このような基本動作をなすテレビインターホンシステムにおいて、テレビインターホン親機１は、図４のフローチャートに示す動作をすることを特徴としている。親機１はモニター画面Ｍに映像を表示すべきとき、例えば、ドアホン子器Ｄが操作されたり、親機１に接続した呼出釦４，４が操作されたり、親機１に接続したセンサー（不図示）が作動したりしたときなどには、所定の制御信号の入力を受けて、ドアホン子器Ｄによる映像を表示するべきか、ピクト画像を表示するべきかを判別し（１００）、ピクト画像を表示すべきときには、画像作成／録画回路１１によってピクト画像を作成する（１０１）。
【００２５】
ついで、映像切替スイッチ１６の接点をｂ側、すなわち、画像作成／録画回路１１側に切り替える（１０２）。このとき、伝送路Ｌが画像作成／録画回路１１に接続される。そして、画像作成／録画回路１１が、作成したピクト画像をモニター画面Ｍに表示する（１０３）。これとともに、画像作成／録画回路１１が、作成したピクト画像を伝送路Ｌを通じて、副親機２に伝送し表示させる（１０４）。
【００２６】
一方、ドアホン子器Ｄによる映像を表示すべきときには（１００）、映像切替スイッチ１６の接点をａ側、すなわち、伝送回路１７側に切り替える（１０５）。このとき、伝送路Ｌが伝送回路１７に接続される。そして、カメラ付きドアホン子器Ｄによる映像をモニター画面Ｍに表示する（１０３）。これとともに、伝送回路１７が、カメラ付きドアホン子器Ｄによる映像を伝送路Ｌを通じて、副親機２に伝送し表示させる（１０４）。
【００２７】
これにより、ピクト画像作成機能や録画画像再生機能のない副親機２でも、親機１から伝送される画像を表示することによって、ピクト画像や録画画像の再生が可能となるとともに、副親機２にピクト画像作成や録画画像再生のための専用回路を設ける必要がなくなり、副親機２の回路構成を簡易にすることができる。
【００２８】
ここで、親機、副親機は、以下に示す内部構成であってもよい。図５、６は、親機、副親機のそれぞれの内部構成の他例を示す図である。
【００２９】
ここでは、親機１Ａは、２系統の伝送路Ｌ１，Ｌ２を介して、副親機２Ａと接続されており、伝送路Ｌ１が伝送回路１７に接続される一方、伝送路Ｌ２が画像作成／録画回路１１に接続されている。ここに、伝送路Ｌ１は、カメラ付きドアホン子器Ｄによる映像を伝送するために設けられ、伝送路Ｌ２は、画像作成／録画回路１１によるピクト画像を伝送するために設けられる。なお、先述した映像切替スイッチ１６は、ここでは、モニター画面Ｍを、伝送回路１７と画像作成／録画回路１１とに対して、相互に切り替えて接続する機能を有する。
【００３０】
一方の副親機２Ａは、２系統の伝送路Ｌ１，Ｌ２を介して、親機１Ａや他の副親機２Ａと接続されており、モニター画面Ｍを、それぞれの伝送路Ｌ１，Ｌ２に対して、相互に切り替えて接続する映像切替スイッチ２４を備える。
【００３１】
映像切替スイッチ２４はスイッチ手段を構成し、ＣＰＵ２０によって制御され、接点をａ側あるいはｂ側に切り替えることによって、モニター画面Ｍを、それぞれの伝送路Ｌ１，Ｌ２に対して、相互に切り替えて接続する。
【００３２】
このような構成にすれば、親機１Ａ、副親機２Ａは、以下に示す動作をすることができる。すなわち、親機１Ａは、図７のフローチャートに示す動作ができ、ドアホン子器Ｄによる映像を表示するべきか、ピクト画像を表示するべきかを判別し（２００）、ピクト画像を表示すべきときには、画像作成／録画回路１１によってピクト画像を作成する（２０１）。
【００３３】
ついで、映像切替スイッチ１６の接点をｂ側、すなわち、画像作成／録画回路１１側に切り替える（２０２）。このとき、モニター画面Ｍが画像作成／録画回路１１に接続される。そして、画像作成／録画回路１１が、作成したピクト画像をモニター画面Ｍに表示する（２０３）。これとともに、画像作成／録画回路１１が、作成したピクト画像を伝送路Ｌ２を通じて、副親機２に伝送する。
【００３４】
一方、ドアホン子器Ｄによる映像を表示すべきときには（２００）、映像切替スイッチ１６の接点をａ側、すなわち、伝送回路１７側に切り替える（１０５）。このとき、モニター画面Ｍが伝送回路１７に接続される。そして、カメラ付きドアホン子器Ｄによる映像をモニター画面Ｍに表示する（２０３）。これとともに、伝送回路１７が、カメラ付きドアホン子器Ｄによる映像を伝送路Ｌ１を通じて、副親機２に伝送する。
【００３５】
一方の副親機２Ａは、図８のフローチャートに示す動作ができ、親機１Ａから伝送されてくる制御信号に基づいて、ドアホン子器Ｄによる映像を表示するべきか、ピクト画像を表示するべきかを判別し（３００）、ピクト画像を表示すべきときには、映像切替スイッチ２４の接点をｂ側、すなわち、伝送路Ｌ２側に切り替える（３０１）。このとき、モニター画面Ｍが伝送路Ｌ２に接続される。そして、伝送路Ｌ２を通じて親機１Ａから伝送されてくるピクト画像を、モニター画面Ｍに表示する（３０２）。
【００３６】
一方、ドアホン子器Ｄによる映像を表示すべきときには（３００）、映像切替スイッチ２４の接点をａ側、すなわち、伝送路Ｌ１側に切り替える（３０３）。このとき、モニター画面Ｍが伝送路Ｌ１に接続される。そして、伝送路Ｌ１を通じて親機１Ａから伝送されてくる映像を、モニター画面Ｍに表示する（３０２）。
【００３７】
ここで、先述したフローチャートにおいては、説明を容易とするため、ピクト画像とカメラ映像の切替について示したが、本発明ではこれに限られず、画像作成／録画回路１１によって記録した静止画（録画画像）と、カメラ映像の切替も行う。
【００３８】
これにより、カメラ付きドアホン子器による映像と、画像作成／録画手段による画像とを副親機に伝送する際に、それぞれ個別の伝送路を使用することなく、１系統の伝送路を使用して伝送することが可能となる。
【００３９】
親機１，１Ａは、在宅設定と留守録設定とを有し、それぞれの設定に応じて、以下の動作をすることができる。まず、在宅設定時における動作について説明する。図９、図１０はそれぞれ、この動作について説明するためのタイムチャート、フローチャートである。
【００４０】
すなわち、親機１，１Ａは、在宅設定しておけば、いずれかのカメラ付きドアホン子器Ｄから呼出を受けたときに呼出音が出力される。これとともに、親機１は、ドアホン子器Ｄによる来客の映像の表示を開始し、その表示が安定したタイミングで、その映像を静止画として記録する（図１０では４００〜４０３）。
【００４１】
そして、親機１，１Ａで応答がなく、来客によってドアホン子器Ｄが再度操作されたときには、親機１，１Ａはこれを受けて、来客の映像を再度静止画として記録する。これにより、カメラ付きドアホン子器Ｄによる映像の表示が安定し、かつ、来客の顔がカメラ付きドアホン子器Ｄに最も近づくタイミングで、来客の映像を確実に記録することができる。
【００４２】
その後、所定時間が経過しても、ドアホン子器Ｄでの呼出、あるいは、親機１，１Ａでの応答がなければ、親機１，１Ａは呼出処理を終了して、ドアホン子器Ｄによる映像の表示を終了する（図１０では４０４，４０５）。
【００４３】
次に、留守録設定時における動作について説明する。図１１、図１２はそれぞれ、この動作について説明するためのタイムチャート、フローチャートである。
【００４４】
すなわち、親機１，１Ａは、留守録設定しておけば、いずれかのドアホン子器Ｄから呼出を受けたときに呼出音が出力される。これとともに、親機１，１Ａは、ドアホン子器Ｄによる来客の映像の表示を開始し、その表示が安定したタイミングで、そのときの映像を１枚目の静止画として記録する（図１２では５００〜５０３）。
【００４５】
そして、用件入力を促す所定の音声メッセージをドアホン子器Ｄから出力し、音声メッセージをドアホン子器Ｄから出力するタイミングで、ドアホン子器Ｄによって撮影される映像を２枚目の静止画として記録し、音声メッセージの出力が終了し、これを受けた来客がドアホン子器Ｄに対する用件入力を開始するタイミングで、ドアホン子器Ｄによって撮影される映像を３枚目の静止画として記録する。そして、来客がドアホン子器Ｄに対して用件を入力し、入力された用件を録音している間、ドアホン子器Ｄによって撮影される映像を４枚目の静止画として記録する（図１２では５０４〜５１３）。なお、ここでは、静止画を４枚録画する動作について示しているが、本発明ではこの例に限られず、４以外の複数枚であってもよい。
【００４６】
このように、親機１，１Ａは、用件入力を促す音声メッセージをカメラ付きドアホン子器から出力するタイミングで、カメラ付きドアホン子器Ｄによって撮影される映像を静止画として録画するので、音声メッセージがドアホン子器Ｄから出力されると、来客はドアホン子器Ｄに顔を向けるため、来客の顔を確実に録画することができる。また、親機１，１Ａは、用件入力を促す所定の音声メッセージをカメラ付きドアホン子器Ｄから出力し、これを受けた来客がカメラ付きドアホン子器Ｄに対する用件入力を開始するタイミングで、カメラ付きドアホン子器Ｄによって撮影される映像を静止画として録画するので、来客は用件入力中はドアホン子器Ｄに顔を向けるため、来客の顔を確実に録画することができる。
【００４７】
ここで、先述した在宅設定、留守録設定は、留守録設定釦Ｂ４を操作することでなされる。すなわち、在宅設定時に留守録設定釦Ｂ４を操作すれば留守録設定され、留守録設定時に留守録設定釦Ｂ４を操作すれば在宅設定される。また、静止画、音声は、その時刻データとともに記録される。
【００４８】
このようなシステムの実際の使用にあたっては、親機１，１Ａは、留守録設定時には、ドアホン子器Ｄからの１件の呼出に対して、来客の映像を、先述したように４枚記録してもよいし、１枚のみ記録してもよい。４枚記録するか１枚のみ記録するかは、後述する操作によってユーザが任意に選択できる。また、４枚記録が選択された場合には、標準で８件の呼出に対処することができ、合計３２枚の静止画が記録できる。なお、静止画の画質は標準の場合と比較して劣るが、半分にすることによって、標準の２倍の１６件の呼出に対応できるようにして、標準との間で選択可能としてもよい。この場合、最大で６４枚の静止画が記録できる。
【００４９】
留守録設定時に記録した静止画や音声は、留守録設定時に留守録設定釦Ｂ４が操作されたときに、記録した時刻データとともに再生される。これらは副親機２，２Ａに伝送線Ｌ，Ｌ２を通じて伝送され、副親機２，２Ａでも再生される。このとき、複数件記録されている際には、新しく記録した分から古い分へと順次再生される。このとき、記録されたうち何件目のものであるかを示すために、１／３といった表示もなされる。また、対応する音声が記録されていれば、その旨を表示して静止画とともに再生する。なお、１件あたり４枚の静止画を記録している際には、これらの画像をコマ送りで再生し、これと同時に音声を再生する。静止画や音声は、メモリの容量が一杯になれば、古いものから順に上書きするので、後述する操作により、１件ずつ保存（保護）または消去することが可能となっている。これをユーザに知らせるため、１件分の再生が終了して次件の再生をするまでの間に、「保存／消去はメニュー釦を押してください」といったメッセージをインポーズ表示する。これらの再生は通話釦Ｂ１０の操作により終了する。通話釦Ｂ１０が操作されたり、全件の再生が終了すると、留守録設定が解除されて在宅設定となり、待機状態となる。
【００５０】
また、親機１，１Ａでは、在宅設定時、留守録設定時いずれの場合でも、モニター表示された来客映像や、来客の音声を記録したい場合があるが、このような場合は、録画録音釦Ｂ１を操作すれば、その時点の映像を静止画として記録するとともに、来客の音声が所定時間録音される。これが終了すれば、記録した静止画が所定時間モニター表示される。
【００５１】
記録した静止画や音声は、記録されたのが留守録設定、在宅設定の如何にかかわらず、再生／送り釦Ｂ２を操作することによって、記録した時刻データとともに再生することができる。これらは副親機２，２Ａに伝送線Ｌ，Ｌ２を通じて伝送され、副親機２，２Ａでも再生される。
【００５２】
複数件記録されている際には、再生／送り釦Ｂ２を操作する毎に、新しいものから古いものへと順次再生していく。このとき、記録されたうち何件目のものであるかを示すために、１／１０といった表示もなされる。また、対応する音声が記録されていれば、その旨を表示して静止画とともに再生する。これらの再生は終了釦Ｂ９の操作により終了する。終了釦Ｂ９が操作されたり、全件の再生が終了すると、待機状態となる。
【００５３】
ここで、１件あたり４枚の静止画を記録している際には、これらの画像をコマ送りで再生し、これと同時に音声を再生する。また、保存分と未保存分とを区別するために、保存分の再生中には、それを通知するシンボルを画像の適所にインポーズ表示する。
【００５４】
なお、未保存分については、先述したように、メモリの容量が一杯になれば、古いものから順に上書きされるので、後述する操作により、１件ずつ保存（保護）または消去することが可能となっている。これをユーザに知らせるため、未保存の件の再生が終了して次件の再生をするまでの間に、「保存／消去はメニュー釦を押してください」といったメッセージをインポーズ表示する。
【００５５】
静止画や音声の再生中に、メニュー釦Ｂ８が操作されると、再生動作が一時停止して（静止画は表示したまま）、静止画や音声の保存／消去のための画面がインポーズ表示される。この画面では、保存するか消去するかが選択でき、保存を選択すると、所定の保存操作ができるようになり、ここでは、録画録音釦Ｂ１と再生／送り釦Ｂ２とを操作して、画面上のカーソルを操作することによって、保存すべき静止画を選択し、映像補正釦Ｂ３の操作によって確定すれば、選択した静止画が対応する音声とともに保存される。ここで、１件あたり４枚の静止画を記録している際には、メモリの容量には限度があるため、選択対象として最初の１枚目のみを表示し、その１枚目のみを保存対象とする。音声については、１件あたり１枚の静止画を記録している場合と同様である。なお、メモリの容量が一杯で保存できない場合には、保存データの消去を促すコメントをインポーズ表示する。また、映像補正釦Ｂ３は、本来は映像表示状態で逆光補正の切替を行うために使用する釦である。
【００５６】
一方、静止画や音声の保存／消去のための画面で、消去を選択すると、所定の消去操作ができるようになり、ここでは、録画録音釦Ｂ１と再生／送り釦Ｂ２とを操作して、画面上のカーソルを操作することによって、一時停止している静止画のみを個別削除するか、メモリに記録された静止画、音声を全て削除するかを選択し、映像補正釦Ｂ３の操作によって確定する。このとき、個別消去が選択されていれば一時停止している静止画が削除され、全消去が選択されていれば記録されている全ての静止画、音声を削除する。なお、個別消去をする際に、削除対象とした静止画が、１件あたり４枚記録した静止画のうち最後の一枚であれば、対応する音声についても削除する。
【００５７】
メニュー釦Ｂ８は、本来は後述する各種操作をするために使用される釦であり、在宅設定時の待機状態のときに操作すると、メニュー選択画面が表示され、録画録音釦Ｂ１と再生／送り釦Ｂ２とを操作して、画面上のカーソルを操作することによって、時刻設定、録画設定、録音設定、保存データ再生といった項目が選択可能となり、映像補正釦Ｂ３の操作によって選択項目の確定を行う。
【００５８】
時刻設定を選択すれば、時刻設定のための画面が表示され、その画面を使用して、録画録音釦Ｂ１と再生／送り釦Ｂ２とを操作して、画面上のカーソルを操作することによって、年月日、時刻を順次選択していく。なお、選択項目の確定は映像補正釦Ｂ３の操作により行う。また、この時刻設定のなされていない状態で電源を立ち上げたときには、「時刻設定をしてください」といったメッセージを画面表示する。
【００５９】
録画設定を選択すれば、先述したような、留守録設定時における静止画記録枚数を選択するための画面が表示され、録画録音釦Ｂ１と再生／送り釦Ｂ２とを操作して、画面上のカーソルを操作することによって、来客の映像を、１件あたり４枚記録するか１枚のみ記録するかを選択し、ついで、記録する画質を選択を標準または半分に選択する。画質を半分に選択すれば、標準の２倍の静止画が記録可能となる。なお、選択項目の確定は映像補正釦Ｂ３の操作により行う。このような録画設定は、先述した留守録設定をした直後にも実行可能としており、所定時間設定操作がなければ、その時点の録画設定のまま留守録設定にする。
【００６０】
録音設定を選択すれば、留守録設定時に出力すべき音声メッセージを選択するための画面が表示され、録画録音釦Ｂ１と再生／送り釦Ｂ２とを操作して、画面上のカーソルを操作することによって、予めデフォルトとして記録された複数の音声メッセージのうち１つを選択する。なお、選択項目の確定は映像補正釦Ｂ３の操作により行う。また、音声メッセージの選択項目の１つとして、ユーザー設定という項目があり、これを選択すれば、ユーザーが任意に音声メッセージを記録可能となり、マイク１４を通じて入力された音声が音声メッセージとして記録される。
【００６１】
保存データ再生を選択すれば、先述した保存操作によって保存されている静止画、音声のうち、一番新しいものが表示される。この保存データは副親機２，２Ａに伝送線Ｌ，Ｌ２を通じて伝送され、副親機２，２Ａでも表示される。
【００６２】
その再生が終了すれば、再生／送り釦Ｂ２を操作する毎に、新しいものから順次１件ずつ再生される。このとき、記録されたうち何件目のものであるかを示すために、１／１０といった表示もなされる。また、対応する音声が記録されていれば、その旨を表示して静止画とともに再生する。
【００６３】
【発明の効果】
以上の説明からも理解できるように、本発明の請求項１に記載のテレビインターホンシステムでは、テレビインターホン親機は、画像作成および録画手段による所定画像や静止画を、伝送路を通じて、テレビインターホン副親機に伝送して表示させる構成としているので、ピクト画像作成機能や録画画像再生機能のない副親機でも、親機から伝送される画像を表示することによって、ピクト画像や録画画像の再生が可能となるとともに、副親機にピクト画像作成や録画画像再生のための専用回路を設ける必要がなくなり、副親機の回路構成を簡易にすることができる。
【００６４】
また、テレビインターホン親機は、１系統の伝送路を、カメラ付きドアホン子器による映像の伝送手段と、画像作成および録画手段とに対して、相互に切り替えて接続するスイッチ手段を備える構成としているので、スイッチ手段の切替動作によって、カメラ付きドアホン子器による映像と、画像作成および録画手段による画像とを副親機に伝送する際に、それぞれ個別の伝送路を使用することなく、１系統の伝送路を使用して伝送することが可能となる。
【００６５】
請求項２に記載のテレビインターホンシステムでは、伝送路は２系統であり、テレビインターホン親機は、一方の伝送路がカメラ付きドアホン子器による映像の伝送手段に接続される一方、他方の伝送路が画像作成および録画手段に接続されており、自身に内蔵された画像表示手段を、伝送手段と画像作成および録画手段とに対して、相互に切り替えて接続するスイッチ手段を備える構成としているので、スイッチ手段の切替動作によって、親機と副親機とで別々の画像を表示することができ、例えば、親機がカメラ付きドアホン子器による映像を表示中に、副親機がピクト画像を表示することが可能となる
また、テレビインターホン副親機は、自身に内蔵された画像表示手段を、それぞれの伝送路に対して、相互に切り替えて接続するスイッチ手段を備える構成としているので、スイッチ手段の切替動作によって、親機から伝送されてきた、カメラ付きドアホン子器による映像と、画像作成および録画手段による画像とを切り替えて表示することが可能となる。
【００６６】
さらに、テレビインターホン親機は、在宅設定時にカメラ付きドアホン子器からの再呼出を受けたときには、カメラ付きドアホン子器によって撮影される映像を静止画として記録するので、在宅設定時においても、来客の顔を確実に記録することができる。
【００６７】
請求項３に記載のテレビインターホンシステムでは、テレビインターホン親機は、留守録設定時には、用件入力を促す音声メッセージをカメラ付きドアホン子器から出力するタイミングで、カメラ付きドアホン子器によって撮影される映像を静止画として録画するので、音声メッセージがドアホン子器から出力されると、来客はドアホン子器に顔を向けるため、来客の顔を確実に録画することができる。
【００６８】
請求項４に記載のテレビインターホンシステムでは、テレビインターホン親機は、留守録設定時には、用件入力を促す所定の音声メッセージをカメラ付きドアホン子器から出力し、これを受けた来客がカメラ付きドアホンに対する用件入力を開始するタイミングで、カメラ付きドアホン子器によって撮影される映像を静止画として録画するので、来客は用件入力中はドアホン子器に顔を向けるため、来客の顔を確実に録画することができる。
【図面の簡単な説明】
【図１】本発明システムの構成の一例を模式的に示す図である。
【図２】テレビインターホン親機の内部構成の一例を示す図である。
【図３】テレビインターホン副親機の内部構成の一例を示す図である。
【図４】テレビインターホン親機の動作の一例について説明するためのフローチャートである。
【図５】テレビインターホン親機の内部構成の他例を示す図である。
【図６】テレビインターホン副親機の内部構成の他例を示す図である。
【図７】テレビインターホン親機の動作の他例について説明するためのフローチャートである。
【図８】テレビインターホン副親機の動作の他例について説明するためのフローチャートである。
【図９】テレビインターホン親機のドアホン子器呼出処理について説明するためのタイムチャートである（在宅設定時）。
【図１０】テレビインターホン親機のドアホン子器呼出処理について説明するためのフローチャートである（在宅設定時）。
【図１１】テレビインターホン親機のドアホン子器呼出処理について説明するためのタイムチャートである（留守録設定時）。
【図１２】テレビインターホン親機のドアホン子器呼出処理について説明するためのフローチャートである（留守録設定時）。
【符号の説明】
１・・・テレビインターホン親機
２・・・テレビインターホン副親機
Ｄ・・・カメラ付きドアホン子器
１１・・・画像作成／録画回路
１６，２４・・・映像切替スイッチ
１７・・・伝送回路
Ｌ，Ｌ１，Ｌ２・・・伝送路
Ｍ・・・モニター画面
【図１】
0004056704.tif 000002
【図２】
0004056704.tif 000003
【図３】
0004056704.tif 000004
【図４】
0004056704.tif 000005
【図５】
0004056704.tif 000006
【図６】
0004056704.tif 000007
【図７】
0004056704.tif 000008
【図８】
0004056704.tif 000009
【図９】
0004056704.tif 000010
【図１０】
0004056704.tif 000011
【図１１】
0004056704.tif 000012
【図１２】
0004056704.tif 000013